(57)【要約】  本発明はパイプ（３）の軸Ａにおける第１の管腔（４）とパイプ（３）の軸Ａの外側の第２の管腔（５）を備えたパイプ（３）のための二つの部品（１，２）における接続システムに関し、第１の部品（１）は接続要素として二つの同軸の円錐部（６，７）を有し、第１の管腔（４）は第１の内側の円錐部（６）に通じて、第２の管腔（５）は第１の円錐部（６）と第２の円錐部（７）との間に存在する空間（８）に通じている。接続システムの第２の部品（２）は接続要素として二つの同軸の円錐部（９，１０）を有し、これらは第１の部品（１）の二つの円錐部（６，７）に対して相補的であり、第１と第２の部品の二つの管腔（４，５）間に水密および/または気密の連続性を確立するために第１の部品（１）の二つの円錐部（６，７）はそれぞれ第２の部品（２）の二つの円錐部（９，１０）とともに水密および/または気密の態様で協働する。
2013533016.tif 000002
【特許請求の範囲】
【請求項１】
パイプ（３）のための二つの部品（１，２）における接続システムであって、パイプの軸（Ａ）における第１の管腔（４）とパイプの軸の外側の第２の管腔（５）を含み、
第１の部品（１）は接続要素として二つの同軸の円錐部（６，７）を有し、第１の管腔（４）は第１の内側の円錐部（６）に通じて、第２の管腔（５）は第１の円錐部（６）と第２の円錐部（７）との間に存在する空間（８）に通じており、
第２の部品（２）は接続要素として二つの同軸の円錐部（９，１０）を有し、これらは第１の部品（１）の二つの円錐（６，７）に対して相補的であり、
２つの部品（１，２）を接続するために、第１の部品（１）の二つの円錐部（６，７）は第２の部品（２）の二つの円錐部（９，１０）とともに水密および/または気密の態様で協働する、接続システム。
【請求項２】
第１の部品（１）の円錐部（６，７）は第２の部品の二つの円錐部（９，１０）内へ水密および/または気密の態様で挿入され得る、請求項１に記載の接続システム。
【請求項３】
第２の部品（２）の円錐部（９，１０）は第１の部品の二つの円錐部（６，７）内へ水密および/または気密の態様で挿入され得る、請求項１に記載の接続システム。
【請求項４】
二つの相補的接続要素（６，９；７，１０）の少なくとも一つは弾性的に変形可能な材料で造られている、請求項１から３のいずれかに記載の接続システム。
【請求項５】
第１の部品（１）はパイプ（３）を接続するために他の二つの同軸の接続要素（１１、１２）を有し、これらの要素の少なくとも一つは円錐形状を有している、請求項１から４のいずれかに記載の接続システム。
【請求項６】
内側の接続要素（１１）は増大する直径を備えた円錐形状を有している、請求項５に記載の接続システム。
【請求項７】
外側の接続要素（１２）は減少する直径を備えた円錐形状を有している、請求項５または６に記載の接続システム。
【請求項８】
第１の部品（１）の内側の接続要素（６，１１）は、複数の支柱（２２）によって、第１の部品の外側の接続要素（７、１２）内に同軸の態様で保持されている、請求項１から７のいずれかに記載の接続システム。
【請求項９】
第１の部品（１）と第２の部品（２）は、スナップ接続（１３，１４）によって、接続位置に固定される、請求項１から８のいずれかに記載の接続システム。
【発明の詳細な説明】
【技術分野】
【０００１】
本発明は、二つの管腔を備えたパイプのための接続システムに関する。
【背景技術】
【０００２】
複数の異なる流体が同じパイプ中を同時に流れなければならないとき、このパイプは複数の管腔を有しなければならない。異なる利用では、水および空気などの気体のような流体の同時的通路が、同じパイプを通して実際に必要とされ得る。この目的のために一つのパイプが使用され得て、これは軸に沿って配置されかつ管状の壁部によって限定れて水を導くように作用する第１の管腔を有し、その壁部は空気の通路として使用される管状または非管状の第２の管腔を有する。
【発明の概要】
【発明が解決しようとする課題】
【０００３】
この形式のパイプは、パイプの二つの部分を接続することまたはパイプの入口部分を装置に接続することを困難にし、特にパイプの二つの部分の一方の他方に関する軸の周りの角度的方位を考慮することなく接続が確立されなければならない場合に困難にする。
【０００４】
医療との関連において、二つの管腔を備えたパイプがしばしば使用され、例えば肛門洗浄プローブを備えたパイプである。肛門プローブに関しては、プローブを直腸内に位置決めしてそこに維持するために、まず空気注入可能バルーンが空気で満たされなければならない。その後、プローブは、直腸を洗浄するための水の点滴注入を許容する。タンクが水をパイプに供給することを可能にしてポンプが圧縮空気を供給することを可能にするが、プローブ自体は単一用途であるので、結腸洗浄の各新たなセッションのために新たなプローブがパイプに接続されなければならない。したがって、迅速で単純な接続装置が有利であり、これらのプローブは器用さが限られた下半身不随または四肢まひの患者によってしばしば使用されるのでなおさらである。したがって、プローブとの関係において前記パイプの角度的方位を考慮する必要なく最大の容易さで入口パイプの端部へプローブを接続し得ることが望ましい。
【０００５】
本発明の目的は二つの管腔を備えたパイプのための接続システムを創造することであり、接続すべき部品の角度的方位を考慮することなく単純な接続を可能にする。
【課題を解決するための手段】
【０００６】
該目的はパイプの軸における第１の管腔とパイプの軸の外側の第２の管腔を備えたパイプのための二つの部品における接続システムによる本発明に従って達成され、第１の部品は接続要素として二つの同軸の円錐部を有し、第１の管腔は第１の内側の円錐部に通じて、第２の管腔は第１の円錐部と第２の円錐部との間に存在する空間に通じている。接続システムの第２の部品は接続要素として二つの同軸の円錐部を有し、これらは第１の部品の二つの円錐部に対して相補的であり、第１と第２の部品の二つの管腔間に水密および/または気密の連続性を確立するために第１の部品の二つの円錐部はそれぞれ第２の部品の二つの円錐部とともに水密および/または気密の態様で協働する。
【０００７】
本発明による接続システムは二つの部品からなり、それらの一方は二つの管腔を備えたパイプに接続され得て、他方も二つの管腔を備えたパイプにまたは例えば空気と水などの二つの異なる流体で機能する肛門プローブのような装置に接続され得る。接続システムの第１の部品は、内側の円錐状接続要素を有する。接続システムの第２の部品は相補的な部品であり、システムが接続されるときに、水密および/または気密の効果が得られるように第１の部品の円錐部と協働する。パイプの軸に沿うパイプの第１の管腔は、接続システムの第１の部品の内側の円錐部に通じている。
【０００８】
接続システムの第１の部品はさらに、第１の内側の円錐部との関係において同心状の態様で配置された外側の円錐部を有している。したがって、内側と外側の円錐部との間に空間が存在し、その空間に対してパイプの軸の外側に配置された第２の管腔が通じている。接続システムの第２の部品は第１の部品の第２の円錐部に対して相補的な円錐部を有し、それが接続されるときに水密および/または気密の効果が得られるように第１の部品の円錐部と協働する。すなわち、接続システムの二つの部品の外側円錐部は内側と外側の円錐部の間の空間を水密および/または気密の態様で閉じるので、パイプの第２の管腔を通って導かれる流体はロスまたは漏れなしに他方のパイプの対応する開口内へ進むことができる。
【０００９】
接続システムの第１の部品の円錐部は、接続中に第２の部品の対応する相補的な円錐部内へ挿入されるように、第２の部品の方向に減少する直径を有し得る。逆の実施例も可能であり、それによれば、第２の部品の円錐部が第１の部品の円錐部内に挿入され得る。明らかに、一方の部品の円錐部が第２の部品の相補的な円錐部内へ挿入されることも可能であり、第２の円錐部はその相補的円錐部と合体し得る。
【００１０】
好ましくは、二つの相補的な接続要素の少なくとも一方は弾性的に変形可能な材料で造られている。すなわち、弾性的に変形可能な接続要素はわずかに変形され得て、特には相補的接続要素が接続されるときに僅かに拡張または押し縮められて、水密および/または気密の効果が高められる。このことは、例えば、接続システムの二つの部品の一方に弾性的に変形可能な材料を使用するが他方の部品が剛性の材料で造られ得ることによって実現することができる。もちろん、両方の部品が弾性的に変形可能な材料で造られてもよく、または二つの相補的な接続要素の少なくとも一方が弾性的に変形可能な他の任意の組合せも可能である。
【００１１】
パイプへの接続の場合、接続装置の第１の部品は二つの異なる接続要素を有することができ、それらの少なくとも一方は円錐形状を有する。例えば、内側の接続要素が増大する径を備えた円錐形状であって外側の接続要素が円筒状であれば、パイプは内側の円錐状接続要素に対して滑り込ませられ得る。すなわち、パイプは円錐部によって僅かに拡大され、換言すれば、その内側表面が内側円錐部に対してあてがわれて、その内径が僅かに拡大され、そして水密および/または気密の効果が得られる。また、パイプの内径の拡大は外側の円筒状接続要素に対する外壁の圧力となるので、その接続が十分な水密および/または気密となる。パイプの第１の管腔は内側の円錐部に通じ、これは接続システムの第２の部品の内側の接続円錐部に通じている。パイプの第２の管腔はパイプの壁内に配置されており、二つの接続要素間に配置された空間に通じている。
【００１２】
二つの付加的な接続要素を円錐状の態様で設計することによって、パイプの水密および/または気密の効果と締結を改善することができ、内側の接続要素は増大する直径を有し、外側の接続要素は減少する直径を有している。すなわち、パイプの壁部が、二つの接続要素の間でしっかりと楔止めされ得る。
【００１３】
第１の部品の内側の接続要素は、好ましくは、外側の接続要素内で接続支柱によって同軸の態様で保持され得る。したがって、二つの円錐部の間に空間が存在し、第２の管腔から来る媒体が接続装置の第１の部品を通って自由に流れ得ることを保証する。
【００１４】
接続システムの第１と第２の部品の接続は、好ましくは、それらの部品が接続されるときにスナップ接続によって強化される。
【００１５】
本発明は、以下に示される添付の図面によって、よりよく理解される。
【図面の簡単な説明】
【００１６】
【図１】本発明による接続システムの一実施例を非接続の形態で示している。
【図２】図１の実施例を接続された形態で示している。
【発明を実施するための形態】
【００１７】
図１は肛門プローブ１４を示しており、これは隙間洗浄のための水供給システムを備えるとともに、プローブのレベルに配置されたバルーン１５を膨らます空気導入システムを備えている。その水供給はプローブの軸Ａに沿って作動し、バルーン１５はプローブ１４の周りで複数の区分に分割されており、これらは図面において膨らまされずにプローブに隣接して示されている。すなわち、空気導入は中心軸から離れた態様で作動する。パイプ３は水を運ぶために使用され、このパイプは壁部１６によって限定されていて軸Ａに沿っている第１の円筒状管腔４を有している。パイプ３の壁部１６は、空気の通路として作用する第２の管腔５を有している。
【００１８】
パイプ３は、本発明に従って、二つの部品１、２からなる接続装置の第１の部品１に接続される。接続装置の第２の部品２は、肛門プローブ１４に直接的に結合されている。しかし接続装置１、２は、代替的に、他の装備または例えば延長のためのもう一つのパイプに連結され得るであろう。
【００１９】
接続装置の第１の部品１は、第２の部品に向かって接続する側に、二つの同軸円錐部６、７を有している。水供給システムのパイプ３の第１の管腔４は、内側円錐部６に通じている。空気供給システムの第２の管腔５は、内側の円錐部６と外側の円錐部７との間に配置された空間８に通じている。
【００２０】
接続装置の第２の部品は二つの同軸円錐部９、１０を有し、これらは第１の部品の円錐部６、７に対して相補的である。これらの円錐部の寸法は、接続装置の二つの部品を接続するために、第１の部品の二つの円錐部が第２の部品の二つの円錐部とともに水密および気密の態様で協働するようなものである。第２の部品２は弾性的に変形可能な材料で造られており、円錐部９、１０の寸法はそれら内へ第１の部品の円錐部６、７が挿入されるときに僅かに拡大されるようなものであり、装置が接続された位置にあるときに水密と気密の接続を形成する。
【００２１】
パイプ３を接続するために、接続装置の第１の部品１は二つの同軸の接続要素１１、１２をも有し、これら両方がこの図の例において円錐形状を有している。内側の円錐部１１の直径は増大しているが、外側の円錐部１２のそれは減少している。したがって、パイプ３は内側の円錐部１１に対して水密および気密の態様で中心の管腔４に締結され得る。外側の円錐部１２は水密および気密の態様でパイプ３の外側の壁部１６を囲み、そのようにして、パイプ３の壁部１６内に配置された管腔５は円錐部１１、１２の間の空間１７に通じている。
【００２２】
さらに、図１において、二つの円錐部１１と６を含む内側の接続要素は、円錐部１２と７を含む外側の接続要素内に保持されていることが見られる。このことは、好ましくは、接続支柱２２によって達成される。すなわち、円錐部１１と１２の間の中間の空間１７および円錐部６と７の間の中間の空間８は、互いに連通し得る。すなわち、パイプ３の管腔５を通して中間の空間１７に到る空気は、接続システムの第１の部品１内へ導かれる。
【００２３】
図２は、図１からの実施例を接続された状態で示している。二つの内側の円錐部６、９が挿入されて、それによって、パイプ３の中心の管腔４の水がプローブの管腔１８に配送されて、オリフィス１９を通して流れ得ることが分かる。
【００２４】
接続装置の第１の部品１の内側の円錐部６と外側の円錐部７との間の空間８は第２の部品の接続要素９、１０によって閉じられており、パイプ３の管腔５を通してここへ来る空気はプローブ１４のチャネル２０によって輸送されて、プローブ１４上に配置されたバルーン１５を膨らませる。
【００２５】
接続システムの二つの部品１、２の接続は、スナップ機構１３、２３によって強化される。押ボタン２１上への押圧はアセンブリの解放を可能にし、二つの部品１、２を分離するために第２の部品２の溝１３中の歯２３を解放する。
【図１】
2013533016.tif 000003
【図２】
2013533016.tif 000004
【国際調査報告】
2013533016.tif 000005
2013533016.tif 000006
2013533016.tif 000007